(57)【特許請求の範囲】
【請求項１】
給紙トレイに割り当てられる用紙の紙種を示す紙種データを管理する紙種管理データベースを有する情報処理装置であって、
指定された検索キーワードに基づいて前記紙種管理データベースから紙種データを取得する検索手段と、
前記検索手段により取得された紙種データが、指定された前記給紙トレイに応じた禁則に該当するか否かを判定する判定手段と、
前記判定手段により前記紙種データが前記禁則に該当すると判定された場合、前記紙種データに、前記禁則に該当することを示す使用不可データを対応付ける対応付け手段と、
前記使用不可データが対応付けられた紙種データが示す紙種に、指定された前記給紙トレイで前記紙種が使用できないことを示す表示部品を紐付けた紙種の一覧を表示部に表示させる表示制御手段と
を有する情報処理装置。
【請求項２】
給紙トレイに割り当てられる用紙の紙種を示す紙種データを管理する紙種管理データベースを有する情報処理装置であって、
前記紙種管理データベースから取得された紙種データが、指定された前記給紙トレイに応じた禁則に該当するか否かを判定する判定手段と、
前記判定手段により前記紙種データが前記禁則に該当すると判定された場合、前記紙種データに、前記禁則に該当することを示す使用不可データを対応付ける対応付け手段と、
前記使用不可データが対応付けられた紙種データが示す紙種に、指定された前記給紙トレイで前記紙種が使用できないことを示す表示部品を紐付けた紙種の一覧を表示部に表示させる表示制御手段と
を有し、
前記紙種データは、紙種の属性を示す属性データを含み、
前記対応付け手段は、
さらに、前記紙種データに、前記禁則を識別する情報を対応付けて、
前記表示制御手段は、
前記禁則を識別する情報が対応付けられた紙種データに含まれる属性データが示す属性のうち、前記禁則に該当する属性に前記表示部品を紐付けた属性の一覧を表示させる、情報処理装置。
【請求項３】
前記表示制御手段は、
前記属性の一覧を前記紙種の一覧とともに前記表示部に表示させる、請求項２に記載の情報処理装置。
【請求項４】
禁則が定義された禁則データの種別を判定する種別判定手段を有し、
前記判定手段は、
前記紙種管理データベースから取得された紙種データが、前記種別判定手段により給紙に関する種別であると判定された禁則データに定義された禁則であって、指定された前記給紙トレイに応じた禁則に該当するか否かを判定する、請求項１ないし３のいずれか１項に記載の情報処理装置。
【請求項５】
給紙トレイに割り当てられる用紙の紙種を示す紙種データを管理する紙種管理データベースを有する情報処理システムであって、
指定された検索キーワードに基づいて前記紙種管理データベースから紙種データを取得する検索手段と、
前記検索手段により取得された紙種データが、指定された前記給紙トレイに応じた禁則に該当するか否かを判定する判定手段と、
前記判定手段により前記紙種データが前記禁則に該当すると判定された場合、前記紙種データに、前記禁則に該当することを示す使用不可データを対応付ける対応付け手段と、
前記使用不可データが対応付けられた紙種データが示す紙種に、指定された前記給紙トレイで前記紙種が使用できないことを示す表示部品を紐付けた紙種の一覧を表示部に表示させる表示制御手段と
を有する情報処理システム。
【請求項６】
給紙トレイに割り当てられる用紙の紙種を示す紙種データを管理する紙種管理データベースを有する情報処理システムによる情報処理方法であって、
指定された検索キーワードに基づいて前記紙種管理データベースから紙種データを取得する検索手順と、
前記検索手順により取得された紙種データが、指定された前記給紙トレイに応じた禁則に該当するか否かを判定する判定手順と、
前記判定手順により前記紙種データが前記禁則に該当すると判定された場合、前記紙種データに、前記禁則に該当することを示す使用不可データを対応付ける対応付け手順と、
前記使用不可データが対応付けられた紙種データが示す紙種に、指定された前記給紙トレイで前記紙種が使用できないことを示す表示部品を紐付けた紙種の一覧を表示部に表示させる表示制御手順と
を有する情報処理方法。
【請求項７】
給紙トレイに割り当てられる用紙の紙種を示す紙種データを管理する紙種管理データベースを有する情報処理装置を、
指定された検索キーワードに基づいて前記紙種管理データベースから紙種データを取得する検索手段、
前記検索手段により取得された紙種データが、指定された前記給紙トレイに応じた禁則に該当するか否かを判定する判定手段、
前記判定手段により前記紙種データが前記禁則に該当すると判定された場合、前記紙種データに、前記禁則に該当することを示す使用不可データを対応付ける対応付け手段、
前記使用不可データが対応付けられた紙種データが示す紙種に、指定された前記給紙トレイで前記紙種が使用できないことを示す表示部品を紐付けた紙種の一覧を表示部に表示させる表示制御手段
として機能させるためのプログラム。
【請求項８】
給紙トレイに割り当てられる用紙の紙種を示す紙種データを管理する紙種管理データベースを有する情報処理装置であって、
指定された検索キーワードに基づいて前記紙種管理データベースから紙種データを取得する検索手段と、
前記検索手段により取得された紙種データが、指定された前記給紙トレイに応じた禁則に該当するか否かを判定する判定手段と、
前記判定手段により前記紙種データが前記禁則に該当すると判定された場合、前記紙種データに、前記禁則に該当することを示す使用不可データを対応付ける対応付け手段と、
前記使用不可データが対応付けられた紙種データが示す紙種を、該使用不可データが対応付けられていない紙種データが示す紙種と区別した紙種の一覧を表示部に表示させる表示制御手段と
を有する情報処理装置。
【発明の詳細な説明】
【技術分野】
【０００１】
本発明は、情報処理装置、情報処理システム、情報処理方法、及びプログラムに関する。
【背景技術】
【０００２】
プロダクションプリンタ等の画像形成装置で使用される用紙の紙種には、用紙サイズや坪量、厚み、色、光沢等の様々な属性がある。このような紙種の各属性の値をユーザが設定して、紙種管理データベースやペーパーカタログに登録する技術が知られている（例えば特許文献１参照）。
【０００３】
また、画像形成装置で印刷を実行する際に、複数の設定項目間において設定値の組み合わせが両立しない禁則が存在する場合にも、ユーザが設定値を設定することができる技術が知られている（例えば特許文献２参照）。
【０００４】
プロダクションプリンティングの分野においては、顧客からの詳細な紙種の指定に応えるために、数十から数百にわたる多くの紙種を紙種管理データベースに登録している。ユーザは、紙種管理データベースから所望の紙種を選択することで、給紙トレイで使用する用紙を決定することができる。
【発明の概要】
【発明が解決しようとする課題】
【０００５】
従来の技術においては、紙種管理データベースに登録された多くの紙種から給紙トレイで使用可能な紙種を選択することが困難な場合があった。すなわち、給紙トレイには、用紙サイズや坪量、厚み等の属性の値に応じて、組み合わせが両立しない禁則に該当する紙種が存在するが、ユーザは、紙種管理データベースに登録された多くの紙種のいずれが禁則に該当するのかを判断することが困難であった。
【０００６】
開示の技術は、給紙トレイに応じて使用可能な紙種を容易に選択することを目的とする。
【課題を解決するための手段】
【０００７】
開示の技術は、給紙トレイに割り当てられる用紙の紙種を示す紙種データを管理する紙種管理データベースを有する情報処理装置であって、前記紙種管理データベースから取得された紙種データが、指定された前記給紙トレイに応じた禁則に該当するか否かを判定する判定手段と、前記判定手段により前記紙種データが前記禁則に該当すると判定された場合、前記紙種データに、前記禁則に該当することを示す使用不可データを対応付ける対応付け手段と、前記使用不可データが対応付けられた紙種データが示す紙種に、指定された前記給紙トレイで前記紙種が使用できないことを示す表示部品を紐付けた紙種の一覧を表示部に表示させる表示制御手段とを有する。
【発明の効果】
【０００８】
給紙トレイに応じて使用可能な紙種を容易に選択できる。
【図面の簡単な説明】
【０００９】
【図１】第一の実施形態の印刷システムの一例を示す図である。
【図２】第一の実施形態の端末装置及び印刷装置のハードウェア構成の一例を示す図である。
【図３】第一の実施形態の印刷システムの一例の機能構成を示す図である。
【図４】紙種データＤＢの一例を示す図である。
【図５】禁則データＤＢの一例を示す図である。
【図６】禁則種別データＤＢの一例を示す図である。
【図７】第一の実施形態の紙種一覧画面の表示処理を説明する一例のフローチャートである。
【図８】検索結果データの一例を示す図である。
【図９】紙種の一覧画面の一例を示す図である。
【図１０】第一の実施形態の禁則対応付け処理を説明する一例のフローチャートである。
【図１１】詳細禁則データの一例を示す図である。
【図１２】第一の実施形態の紙種の詳細画面の表示処理を説明する一例のフローチャートである。
【図１３】紙種の詳細画面の一例を示す図である。
【図１４】第二の実施形態の印刷システムの一例を示す図である。
【図１５】第三の実施形態の印刷システムの一例を示す図である。
【発明を実施するための形態】
【００１０】
（第一の実施形態）
以下に、図面を参照して第一の実施形態について説明する。図１は、第一の実施形態の印刷システムの一例を示す図である。
【００１１】
本実施形態の印刷システム１は、端末装置１０及び印刷装置２０を有する。また、端末装置１０及び印刷装置２０は、ＬＡＮ（Local Area Network）等のネットワークＮを介して、無線又は有線により通信可能に接続されている。
【００１２】
本実施形態の端末装置１０は、ユーザが操作するＰＣ（Personal Computer）やスマートフォン、タブレット端末等である。端末装置１０には、ユーザの操作に応じて、印刷装置２０の給紙トレイに紙種を割り当てるための紙種の一覧画面が表示される。したがって、ユーザは、端末装置１０を操作して、表示された紙種の一覧から所望の紙種を選択することで、給紙トレイに割り当てる用紙の紙種を決定することができる。
【００１３】
また、端末装置１０には、ユーザが印刷装置２０の給紙トレイに割り当てる用紙の紙種を選択する際に、当該給紙トレイで使用することができない紙種には所定の表示部品が対応付けて表示される。これにより、ユーザは、当該給紙トレイで使用することができない紙種を知ることができ、当該給紙トレイで使用することができる紙種を容易に選択することができる。
【００１４】
本実施形態の印刷装置２０は、例えばプロダクションプリンティング等の分野で用いられるプリンタや複合機等の画像形成装置である。印刷装置２０は、ユーザにより登録された紙種に関するデータ（紙種データ）を管理する紙種管理データベース（以降、データベースを「ＤＢ」と表す。）を有している。
【００１５】
ここで、紙種データには、用紙サイズや坪量、カラー（色）、用紙種類等の属性に関する情報（属性情報）が含まれる。
【００１６】
印刷装置２０は、給紙トレイに対して使用する用紙の紙種を割り当てる際に、紙種管理データベースに含まれる紙種データに基づいて、紙種の一覧を端末装置１０に表示させる。このとき、印刷装置２０は、紙種の割り当て対象の給紙トレイで使用することができない紙種には、所定の表示部品を対応付けて表示させる。
【００１７】
また、印刷装置２０は、端末装置１０からの要求に応じて、予め給紙トレイに割り当てられた紙種の用紙を使用して、印刷を行う。
【００１８】
なお、本実施形態の印刷システム１では、端末装置１０を有するものとしたが、これに限定されない。印刷システム１は、端末装置１０を有しない構成であっても良い。
【００１９】
次に、本実施形態の端末装置１０及び印刷装置２０のハードウェア構成について説明する。図２は、第一の実施形態の端末装置及び印刷装置のハードウェア構成の一例を示す図である。
【００２０】
図２（ａ）に示すように、端末装置１０は、入力装置１１、表示装置１２、外部Ｉ／Ｆ１３、ＲＡＭ（Random Access Memory）１４、ＲＯＭ（Read Only Memory）１５、ＣＰＵ（Central Processing Unit）１６、通信装置１７、及び記憶装置１８を有する。これら各ハードウェア構成は、バスＢ１により相互に接続されている。
【００２１】
入力装置１１は、キーボードやマウス、タッチパネル等を含み、端末装置１０に各種信号を入力するのに用いられる。表示装置１２は、ディスプレイ等を含み、各種の処理結果を表示する。特に、表示装置１２は、印刷装置２０の給紙トレイに紙種を割り当てるための紙種の一覧画面を表示する。
【００２２】
外部Ｉ／Ｆ１３は、外部装置とのインタフェースである。外部装置には、例えば、ＣＤ（Compact Disk）やＤＶＤ（Digital Versatile Disk）、ＳＤメモリカード(SD memory card）、ＵＳＢメモリ（Universal Serial Bus memory）等の記録媒体がある。端末装置１０は、外部Ｉ／Ｆ１３を介して記録媒体の読み取り及び／又は書き込みを行うことができる。
【００２３】
ＲＡＭ１４は、プログラムやデータを一時保存する揮発性の半導体メモリである。ＲＯＭ１５は、電源を切ってもデータを保持することができる不揮発性の半導体メモリである。ＣＰＵ１６は、例えば記憶装置１８やＲＯＭ１５等からプログラムやデータをＲＡＭ１４上に読み出して、各種処理を実行する演算装置である。
【００２４】
通信装置１７は、端末装置１０をネットワークＮに接続するためのインタフェースである。端末装置１０は、通信装置１７を介して、印刷装置２０に対して給紙トレイの紙種の割り当て要求や印刷ジョブの実行要求等を送信することができる。
【００２５】
記憶装置１８は、プログラムやデータを格納しているＨＤＤ（Hard Disk Drive）やＳＳＤ（Solid State Drive）等の不揮発性のメモリである。記憶装置１８に格納されるプログラムやデータには、端末装置１０の全体を制御する基本ソフトウェアであるＯＳ（Operating System）やＯＳ上で動作する各種アプリケーションプログラムがある。
【００２６】
本実施形態の端末装置１０は、上記ハードウェア構成により後述する各種処理を実現することができる。
【００２７】
図２（ｂ）に示すように、印刷装置２０は、操作パネル２１、外部Ｉ／Ｆ２２、ＲＡＭ２３、ＲＯＭ２４、ＣＰＵ２５、通信装置２６、記憶装置２７、及びプロッタ２８を有する。これら各ハードウェア構成は、バスＢ２により相互に接続されている。
【００２８】
操作パネル２１は、各種信号を入力するのに用いられるタッチパネルと、各種の処理結果を表示するディスプレイとを備える。
【００２９】
外部Ｉ／Ｆ２２は、外部装置とのインタフェースである。外部装置には、例えば、ＣＤやＤＶＤ、ＳＤメモリカード、ＵＳＢメモリ等の記録媒体がある。印刷装置２０は、外部Ｉ／Ｆ２２を介して記録媒体の読み取り及び／又は書き込みを行うことができる。
【００３０】
ＲＡＭ２３は、プログラムやデータを一時保存する揮発性の半導体メモリである。ＲＯＭ２４は、電源を切ってもデータを保持することができる不揮発性の半導体メモリである。ＣＰＵ２５は、例えば記憶装置２７やＲＯＭ２４等からプログラムやデータをＲＡＭ２３上に読み出して、各種処理を実行する演算装置である。
【００３１】
通信装置２６は、印刷装置２０をネットワークＮに接続するためのインタフェースである。印刷装置２０は、通信装置２６を介して、端末装置１０から給紙トレイの紙種の割り当て要求や印刷ジョブの実行要求等を受信する。
【００３２】
記憶装置２７は、プログラムやデータを格納しているＨＤＤやＳＳＤ等の不揮発性のメモリである。記憶装置２７に格納されるプログラムやデータには、印刷装置２０の全体を制御する基本ソフトウェアであるＯＳやＯＳ上で動作する各種プログラム、紙種データ等がある。
【００３３】
プロッタ２８は、画像形成部を備えており、用紙に出力画像を形成する。出力画像を形成する方式には、例えば、電子写真方式やインクジェット方式等がある。
【００３４】
ここで、図２（ｂ）に示す印刷装置２０のハードウェア構成において、点線２９で示すハードウェアはコンピュータとして機能する。したがって、印刷装置２０は、点線２９示すハードウェア構成を有するコンピュータと、操作パネル２１及びプロッタ２８を有するプリンタとで構成されていても良い。すなわち、印刷装置２０は、コンピュータと、プリンタとを含む複数の装置で構成されていても良い。
【００３５】
本実施形態の印刷装置２０は、上記ハードウェア構成により後述する各種処理を実現することができる。
【００３６】
次に、本実施形態の印刷システム１の機能構成について説明する。図３は、第一の実施形態の印刷システムの一例の機能構成を示す図である。
【００３７】
本実施形態の端末装置１０は、入力部１０１、表示部１０２、及び印刷要求部１０３を有する。これら各部は、端末装置１０にインストールされた１以上のプログラムが、ＣＰＵ１６に実行させる処理により実現される。
【００３８】
入力部１０１は、ユーザによる入力を受け付ける。例えば、入力部１０１は、紙種を割り当てる印刷装置２０の給紙トレイの指定を受け付ける。また、例えば、入力部１０１は、後述する紙種データＤＢ２１１から取得する紙種データを検索するための検索キーワードの入力を受け付ける。
【００３９】
表示部１０２は、印刷装置２０から受信したデータ（後述するコンテンツデータ）に基づいて各種画面を表示する。例えば、表示部１０２は、給紙トレイに紙種を割り当てるための紙種の一覧画面を表示する。また、例えば、表示部１０２は、紙種の一覧画面において、ユーザの操作に応じて紙種の詳細画面を表示する。ここで、紙種の詳細画面とは、紙種の一覧画面に表示された紙種の詳細な情報を表示するための画面である。
【００４０】
印刷要求部１０３は、印刷装置２０に対して印刷処理を要求する。すなわち、印刷要求部１０３は、印刷アプリケーション等により作成された印刷ジョブを印刷装置２０に送信して、当該印刷ジョブの実行を要求する。なお、印刷アプリケーションとは、例えば、文書作成アプリケーションや画像作成アプリケーション、Ｗｅｂブラウザ等、印刷装置２０に対して印刷ジョブの実行を要求することができる各種プログラムである。
【００４１】
本実施形態の印刷装置２０は、受付部２０１、検索部２０２、禁則対応付け処理部２０３、コンテンツ作成部２０８、表示制御部２０９、及び印刷処理部２１０を有する。これら各部は、印刷装置２０にインストールされた１以上のプログラムが、ＣＰＵ２５に実行させる処理により実現される。
【００４２】
また、本実施形態の印刷装置２０は、紙種データＤＢ２１１、禁則データＤＢ２１３、及び禁則種別データＤＢ２１４を有する。これら各ＤＢは、記憶装置２７、又は印刷装置２０とネットワークＮを介して接続される記憶装置等により実現することができる。
【００４３】
受付部２０１は、端末装置１０から各種の入力を受け付ける。例えば、受付部２０１は、紙種を割り当てる給紙トレイの指定や紙種データを検索するための検索キーワード等を含む紙種の割り当て要求を受け付ける。また、例えば、受付部２０１は、印刷ジョブの実行要求を受け付ける。
【００４４】
検索部２０２は、受付部２０１が受け付けた検索キーワードに基づいて、紙種データＤＢ２１１から紙種データを取得する。そして、検索部２０２は、取得した紙種データから検索結果データ２１２を作成する。なお、作成された検索結果データ２１２は、例えば、記憶装置２７に格納される。
【００４５】
禁則対応付け処理部２０３は、後述する禁則データＤＢ２１３等に基づいて、検索結果データ２１２に含まれる各紙種データが禁則に該当するか否かを判定して、判定結果に応じて検索結果データ２１２を更新する。また、禁則対応付け処理部２０３は、検索結果データ２１２に含まれる各紙種データの詳細な判定結果を示す詳細禁則データ２１５を作成する。なお、作成された詳細禁則データ２１５は、例えば、記憶装置２７に格納される。
【００４６】
ここで、禁則対応付け処理部２０３は、データ取得部２０４、種別判定部２０５、禁則判定部２０６、及びデータ更新部２０７を有する。これら各部の詳細については後述する。
【００４７】
コンテンツ作成部２０８は、検索結果データ２１２や詳細禁則データ２１５に基づいて、コンテンツデータを作成する。コンテンツデータとは、端末装置１０に、紙種の一覧画面等の各種画面を表示させるためのデータである。
【００４８】
表示制御部２０９は、コンテンツ作成部２０８により作成されたコンテンツデータを端末装置１０に送信し、コンテンツデータに基づく画面を表示させる。
【００４９】
印刷処理部２１０は、受付部２０１が受け付けた印刷ジョブの実行要求に基づいて、当該印刷ジョブを実行する。すなわち、印刷処理部２１０は、印刷ジョブに含まれる印刷データを印刷する処理を行う。
【００５０】
データ取得部２０４は、検索結果データ２１２に含まれる紙種データを取得する。また、データ取得部２０４は、後述する禁則データＤＢ２１３から禁則データを取得する。
【００５１】
ここで、禁則データとは、給紙トレイ毎に、紙種データに含まれる属性情報の禁則が定義されたデータである。
【００５２】
種別判定部２０５は、禁則種別データＤＢ２１４に格納された禁則種別データに基づいて、データ取得部２０４により取得された禁則データが、給紙に関する禁則か否かを判定する。
【００５３】
禁則判定部２０６は、種別判定部２０５により禁則データが給紙に関する禁則であると判定された場合に、データ取得部２０４により取得された紙種データが、禁則データに定義された禁則に該当するか否かを判定する。
【００５４】
なお、禁則判定部２０６により紙種データが禁則データに定義された禁則に該当すると判定された場合、当該紙種データに基づく紙種は、割り当て対象の給紙トレイにおいて使用することはできない。このように、本実施形態では、紙種が禁則に該当するか否かを判定することで、当該紙種が給紙トレイで使用可能か否かを判定する。
【００５５】
データ更新部２０７は。禁則判定部２０６の判定結果に応じて、検索結果データ２１２を更新する。すなわち、データ更新部２０７は、禁則判定部２０６により紙種データが禁則に該当すると判定された場合、検索結果データ２１２に含まれる該当する紙種データに対して、割り当て対象の給紙トレイでは使用できないことを示すデータを対応付ける。
【００５６】
また、データ更新部２０７は、禁則判定部２０６の判定結果に応じて、詳細禁則データ２１５を作成又は更新する。すなわち、データ更新部２０７は、禁則判定部２０６により紙種データが禁則に該当すると判定された場合、当該紙種データを識別する情報と、該当すると判定された禁則の名称とを対応付ける。
【００５７】
次に、図４乃至図７を参照して、印刷装置２０が有する各種ＤＢについて説明する。
【００５８】
図４は、紙種データＤＢの一例を示す図である。本実施形態の紙種データＤＢ２１１は、紙種データを格納している。紙種データは、データの項目として、紙種ＩＤ、用紙名、用紙サイズ、用紙種類、カラー、坪量、紙送り方向、及び両面印刷を有する。
【００５９】
「紙種ＩＤ」は、紙種データを一意に識別する識別情報である。「用紙名」は、ユーザ等により紙種データを紙種データＤＢ２１１に登録する際に付与される紙種の名称である。
【００６０】
「用紙サイズ」、「用紙種類」、「カラー」、「坪量」、「紙送り方向」、「両面印刷」は、紙種の属性を示す属性情報である。
【００６１】
図４の例では、紙種ＩＤ「００１」の用紙サイズは「Ａ３（２９７×４２０ｍｍ）」である。これは、紙種ＩＤ「００１」の紙種データに基づく紙種の用紙サイズは「Ａ３（２９７×４２０ｍｍ）」であることを示している。
【００６２】
同様に、紙種ＩＤ「００１」の坪量は「坪量２」である。これは、紙種ＩＤ「００１」の紙種データに基づく紙種の坪量は「坪量２」であることを示している。他の項目についても同様である。
【００６３】
このように、紙種データＤＢ２１１は、ユーザにより登録された複数の紙種データを格納している。なお、図４に示す紙種データＤＢ２１１に格納される紙種データに含まれる項目は一例であり、例えば、紙種の光沢や厚み等、紙種の属性を示す他の項目が含まれても良い。また、「用紙名」を属性情報に含めても良い。
【００６４】
図５は、禁則データＤＢの一例を示す図である。本実施形態の禁則データＤＢ２１３は、禁則名称毎に禁則データを格納している。禁則データは、給紙トレイと属性情報の値との組が、禁則に該当するか否かが対応付けられている。
【００６５】
「禁則名称」は、禁則の名称である。「給紙トレイ」は、印刷装置２０が備える給紙トレイを識別する情報である。属性情報の値は、属性情報がとり得る値である。
【００６６】
図５の例では、禁則名称「用紙サイズ禁則」において、給紙トレイ「トレイ１」と、属性情報の値を示す用紙サイズ「Ａ３」との組は、「×」が対応付けられている。これは、給紙トレイ「トレイ１」と用紙サイズ「Ａ３」の組は、禁則に該当することを示している。すなわち、「トレイ１」の給紙トレイでは、用紙サイズ「Ａ３」の紙種は使用できないことを示している。
【００６７】
また、図５の例では、禁則名称「用紙サイズ禁則」において、給紙トレイ「トレイ２」と、属性情報の値を示す用紙サイズ「Ａ４」との組は、「○」が対応付けられている。これは、給紙トレイ「トレイ２」と用紙サイズ「Ａ４」の組は、禁則に該当しないことを示している。すなわち、「トレイ２」の給紙トレイでは、用紙サイズ「Ａ４」の紙種が使用できることを示している。
【００６８】
このように、禁則データＤＢ２１３は、禁則名称毎の禁則データを格納しており、各禁則データには、給紙トレイと属性情報の値との組が禁則に該当するか否かが対応付けられている。これにより、紙種データの各属性情報に基づいて、当該紙種データが割り当て対象の給紙トレイで使用することができるか否かが判定される。
【００６９】
なお、禁則名称「坪量禁則」の禁則データは、給紙トレイと、坪量の属性情報の値との組が禁則に該当するか否かが対応付けられたデータである。同様に、禁則名称「紙送り方向禁則」の禁則データは、給紙トレイと、紙送り方向の属性情報の値との組が禁則に該当するか否かが対応付けられたデータである。
【００７０】
図６は、禁則種別データＤＢの一例を示す図である。本実施形態の禁則種別データＤＢ２１４は、禁則種別データを格納している。禁則種別データは、データの項目として、禁則名称及び禁則種別を有する。
【００７１】
「禁則名称」は、禁則の名称である。「禁則種別」は、禁則の種別である。禁則の種別には、例えば、給紙に関する禁則や排紙に関する禁則等、複数の種別がある。
【００７２】
図６の例では、禁則名称「用紙サイズ禁則」の禁則種別は「給紙」である。これは、禁則名称「用紙サイズ禁則」に対応する禁則データは、給紙に関する禁則が定義されたデータであることを示している。
【００７３】
同様に、禁則名称「パンチ禁則」の禁則種別は「排紙」である。これは、禁則名称「パンチ禁則」に対応する禁則データは、排紙に関する禁則が定義されたデータであることを示している。
【００７４】
このように、禁則種別データＤＢ２１４は、禁則データＤＢ２１３に格納されている禁則データの禁則種別を格納している。
【００７５】
次に、本実施形態の印刷システム１の処理の詳細について説明する。以降では、印刷装置２０の給紙トレイに使用する用紙の紙種を割り当てるための紙種の一覧画面を端末装置１０に表示する処理について、図７を参照して説明する。図７は、第一の実施形態の紙種一覧画面の表示処理を説明する一例のフローチャートである。
【００７６】
まず、ユーザは、端末装置１０を操作して、紙種を割り当てる印刷装置２０の給紙トレイを指定する。すると、端末装置１０の入力部１０１は、給紙トレイの指定を受け付けて、当該指定された給紙トレイに対する紙種の割り当て要求を印刷装置２０に送信する（ステップＳ７０１）。
【００７７】
ここで、給紙トレイの指定は、例えば端末装置１０にインストールされたＷｅｂブラウザ等を用いて所定の画面にアクセスすることで行うことができる。
【００７８】
また、ユーザは、割り当て対象の給紙トレイの指定とともに、検索キーワードを指定しても良い。検索キーワードとは、紙種データＤＢ２１１から紙種データを取得する際に用いる検索キーであり、検索キーワードを用いることで紙種データＤＢ２１１から取得される紙種データの絞り込みを行うことができる。なお、ユーザが検索キーワードを指定しなかった場合、当該ユーザが前回用いた検索キーワードを取得しても良い。
【００７９】
印刷装置２０の検索部２０２は、受付部２０１により紙種の割り当て要求を受け付けると、当該要求に検索キーワードが指定されているか否かを判定する（ステップＳ７０２）。
【００８０】
ステップＳ７０２において、検索キーワードが指定されていないと判定された場合、検索部２０２は、紙種データＤＢ２１１に格納された紙種データを全件取得する。そして、検索部２０２は、取得した紙種データから検索結果データ２１２を作成する（ステップＳ７０３）。
【００８１】
ステップＳ７０２において、検索キーワードが指定されていると判定された場合、検索部２０２は、当該検索キーワードに基づいて、紙種データＤＢ２１１を検索して、該当の紙種データを取得する。そして、検索部２０２は、取得した紙種データから検索結果データ２１２を作成する（ステップＳ７０４）。
【００８２】
例えば、検索キーワード「Ａ社」が指定されていた場合、検索部２０２は、図４に示す紙種データＤＢ２１１から用紙名に「Ａ社」が含まれる紙種データを取得する。そして、検索部２０２は、例えば図８（ａ）に示す検索結果データ２１２を作成する。
【００８３】
図８（ａ）に示す検索結果データ２１２は、紙種データＤＢ２１１から取得した各紙種データに対して、データの項目「使用不可」を付加し、当該項目「使用不可」の値を「ｆａｌｓｅ」としたものである。項目「使用不可」は、紙種データが、割り当て対象の給紙トレイで使用することができるか否かを示す。
【００８４】
具体的には、項目「使用不可」が「ｆａｌｓｅ」の場合、紙種データは、割り当て対象の給紙トレイで使用できることを示す。一方、項目「使用不可」が「ｔｒｕｅ」の場合、紙種データは、割り当て対象の給紙トレイで使用できないことを示す。
【００８５】
このように、検索部２０２は、紙種データＤＢ２１１から取得した紙種データに対して割り当て対象の給紙トレイで使用できるか否かを示す項目を付加し、当該項目の値を、使用できることを示す値に設定して、検索結果データ２１２を作成する。なお、検索部２０２は、割り当て対象の給紙トレイで使用できるか否かを示す項目の値を設定せずに（ブランクに設定して）、検索結果データ２１２を作成しても良い。
【００８６】
以降では、検索部２０２により、図８（ａ）に示す検索結果データ２１２が作成されたものとして説明を続ける。
【００８７】
印刷装置２０の禁則対応付け部２０３は、禁則対応付け処理を行う（ステップＳ７０５）。すなわち、禁則対応付け部２０３は、図８（ａ）に示す検索結果データ２１２を更新して、図８（ｂ）に示す検索結果データ２１２'を作成する。また、禁則対応付け部２０３は、詳細禁則データ２１５を作成する。なお、禁則対応付け処理の詳細については後述する。
【００８８】
図８（ｂ）に示す検索結果データ２１２'は、項目「使用不可」が更新されている。このように、禁則対応付け処理では、検索結果データ２１２に含まれる各紙種データのうち、割り当て対象の給紙トレイで使用できない紙種データの項目「使用不可」の値を「ｔｒｕｅ」に更新する。換言すれば、禁則対応付け処理では、検索結果データ２１２に含まれる各紙種データのうち、割り当て対象の給紙トレイで使用できない紙種データに対して、使用不可を示すデータ（値）を対応付ける。
【００８９】
図８（ｂ）の例では、紙種ＩＤ「００５」と「００７」の紙種データの項目「使用不可」の値が、指定された給紙トレイで使用することできないことを示す「ｔｒｕｅ」に更新されている。これは、指定された給紙トレイでは、紙種ＩＤ「００５」の紙種データに基づく紙種と、紙種ＩＤ「００７」の紙種データに基づく紙種は使用できないことを示している。
【００９０】
印刷装置２０のコンテンツ作成部２０８は、検索結果データ２１２'に基づいて、紙種の一覧画面のコンテンツデータを作成する（ステップＳ７０６）。コンテンツ作成部２０８は、検索結果データ２１２'に基づいて、例えばＨＴＭＬ（HyperText Markup Language）形式のコンテンツデータを作成すれば良い。
【００９１】
ただし、コンテンツデータはＨＴＭＬ形式に限られず、例えば、ＪＳＯＮ（JavaScript Object Notation）形式等であっても良い。ＪＳＯＮ形式でコンテンツデータが作成された場合には、端末装置１０において当該コンテンツデータを表示するためのレイアウト等を決定することができる。
【００９２】
印刷装置２０の表示制御部２０９は、コンテンツ作成部２０８により作成されたコンテンツデータを端末装置１０に送信して、当該コンテンツデータに基づく紙種の一覧画面を表示させる（ステップＳ７０７）。
【００９３】
これにより、端末装置１０の表示部１０２は、例えば図９に示す紙種の一覧画面１０００を表示させる。図９に示す紙種の一覧画面１０００は、指定された給紙トレイ「トレイ２」に紙種を割り当てるための紙種の一覧を表示する。
【００９４】
図９に示す紙種の一覧画面１０００では、図８（ｂ）に示す検索結果データ２１２'の項目「使用不可」の値が「ｔｒｕｅ」となっている紙種データに基づく紙種には、給紙トレイで使用できないことを示す表示部品である使用不可マーク１００１、１００２が対応付け（紐付け）られて表示されている。すなわち、図９に示す紙種の一覧画面１０００では、検索結果データ２１２'の紙種ＩＤ「００５」と「００７」に対応する紙種に、それぞれ使用不可マーク１００１、１００２が対応付けて表示されている。
【００９５】
これにより、ユーザは、指定した給紙トレイに割り当てる紙種の一覧のうち、当該給紙トレイに割り当てることができない（使用することができない）紙種を知ることができる。したがって、ユーザは、指定した給紙トレイで使用できる紙種を容易に選択することができるようになる。
【００９６】
ここで、ユーザは、紙種の一覧画面１０００において、所望の紙種を選択して、割り当てボタン１００３を押下することで、指定した給紙トレイに紙種を割り当てることができる。これにより、ユーザは、印刷装置２０の給紙トレイにおいて、割り当てた紙種の用紙を用いて印刷を行うことができる。
【００９７】
より具体的には、ユーザは、端末装置１０にインストールされた印刷アプリケーション等により、印刷装置２０の給紙トレイを指定して印刷要求を行う。すると、端末装置１０の印刷要求部１０３は、当該印刷アプリケーションにより作成された印刷ジョブの実行要求を印刷装置２０に送信する。そして、印刷装置２０の印刷処理部２１０は、受付部２０１により印刷ジョブの実行要求を受け付けると、当該印刷ジョブを実行して、指定された給紙トレイの用紙を用いて、当該印刷ジョブに含まれる印刷データの印刷を行う。
【００９８】
なお、図９に示す紙種の一覧画面１０００において、チェックマーク１００４は、割り当て対象の給紙トレイに現在割り当てられている紙種を示す表示部品である。
【００９９】
なお、図９に示す紙種の一覧画面１０００において、ラジオボタン１００５は、「すべて」が選択されている。このとき、ユーザによりラジオボタン１００５の「有効」が選択された場合、紙種の一覧画面１０００において、指定された給紙トレイで使用できる紙種のみを表示させても良い。
【０１００】
また、図９に示す紙種一覧画面１０００では、検索結果データ２１２'の項目「使用不可」の値が「ｔｒｕｅ」となっている紙種データに基づく紙種に、使用不可マークを対応付けて表示したが、これに限られず、当該紙種の表示態様を異ならせても良い。例えば、項目「使用不可」の値が「ｔｒｕｅ」となっている紙種データに基づく紙種について、文字を太字や斜体にする、文字の色を赤や青にする、背景の色をグレーにする等にしても良い。このように、紙種一覧画面１０００において、項目「使用不可」の値が「ｔｒｕｅ」となっている紙種データに基づく紙種を、項目「使用不可」の値が「ｆａｌｓｅ」である紙種データに基づく紙種と区別できる表示態様で表示させても良い。
【０１０１】
また、本実施形態では、図９に示す紙種の一覧画面１０００が端末装置１０の表示装置１２上に表示される場合について説明したが、これに限られない。図９に示す紙種の一覧画面１０００は、例えば、印刷装置２０の操作パネル２１上に表示されても良い。
【０１０２】
次に、図７のステップＳ７０５の禁則対応付け処理の詳細について、図１０を参照して説明する。図１０は、第一の実施形態の禁則対応付け処理を説明する一例のフローチャートである。
【０１０３】
禁則対応付け部２０３のデータ取得部２０４は、検索結果データ２１２から紙種データを１件取得する（ステップＳ１００１）。
【０１０４】
禁則対応付け部２０３のデータ取得部２０４は、禁則データＤＢ２１３から禁則データを１件取得する（ステップＳ１００２）。
【０１０５】
次に、禁則対応付け部２０３の種別判定部２０５は、禁則種別データＤＢ２１４に格納された禁則種別データに基づいて、取得した禁則データの禁則種別が「給紙」であるか否かを判定する（ステップＳ１００３）。
【０１０６】
ステップＳ１００３において、種別判定部２０５により禁則データの禁則種別が「給紙」でないと判定された場合、禁則対応付け部２０３は、ステップＳ１００２に戻る。すなわち、この場合、禁則対応付け部２０３は、データ取得部２０４により、禁則データＤＢ２１３から次の禁則データを１件取得する。
【０１０７】
ステップＳ１００３において、種別判定部２０５により禁則データの禁則種別が「給紙」であると判定された場合、禁則対応付け部２０３の禁則判定部２０６は、紙種データが、禁則データに定義された禁則に該当するか否かを判定する（ステップＳ１００４）。このように、本実施形態では、紙種データが、給紙に関する禁則データに定義された禁則に該当するか否かを判定する。
【０１０８】
ステップＳ１００４において、禁則判定部２０６により紙種データが禁則データに定義された禁則に該当しないと判定された場合、禁則対応付け部２０３は、ステップＳ１００２に戻る。この場合、禁則対応付け部２０３は、データ取得部２０４により、禁則データＤＢ２１３から次の禁則データを１件取得する。
【０１０９】
ステップＳ１００４において、禁則判定部２０６により紙種データが禁則データに定義された禁則に該当すると判定された場合、禁則対応付け部２０３のデータ更新部２０７は、紙種データの詳細禁則データ２１５を作成又は更新する（ステップＳ１００５）。
【０１１０】
ここで、図１１を参照して、詳細禁則データ２１５について説明する。図１１は、詳細禁則データの一例を示す図である。本実施形態の詳細禁則データ２１５は、紙種ＩＤ毎に、データ項目として、禁則名称及び使用不可を有する。
【０１１１】
項目「禁則名称」は、禁則の名称である。項目「使用不可」は、禁則に該当することを示す「ｔｒｕｅ」が設定される。
【０１１２】
図１１の例では、紙種ＩＤ「００５」の詳細禁則データ２１５は、禁則名称「用紙サイズ禁則」が、使用不可「ｔｒｕｅ」である。これは、紙種ＩＤ「００５」の紙種データは、指定された給紙トレイにおいて、禁則名称「用紙サイズ禁則」の禁則データに定義された禁則に該当することを示している。
【０１１３】
同様に、紙種ＩＤ「００５」の詳細禁則データ２１５は、禁則名称「紙送り方向禁則」が、使用不可「ｔｒｕｅ」である。これは、紙種ＩＤ「００５」の紙種データは、指定された給紙トレイにおいて、禁則名称「紙送り方向禁則」の禁則データに定義された禁則に該当することを示している。
【０１１４】
このように、詳細禁則データ２１５では、紙種ＩＤ毎に、禁則に該当した禁則データの禁則名称を格納している。なお、図１１の例では、禁則に該当した禁則データの禁則名称を格納したが、これに限られず、禁則に該当しない禁則データの禁則名称を、使用不可「ｆａｌｓｅ」と対応付けて格納しても良い。
【０１１５】
したがって、ステップＳ１００５では、データ更新部２０７は、該当の紙種データを示す紙種ＩＤの詳細禁則データ２１５が作成されていない場合は、禁則に該当する禁則データの禁則名称を、使用不可「ｔｒｕｅ」と対応づけて、詳細禁則データ２１５を作成する。
【０１１６】
一方、データ更新部２０７は、該当の紙種データを示す紙種ＩＤの詳細禁則データが作成されている場合は、禁則に該当する禁則データの禁則名称を、使用不可「ｔｒｕｅ」と対応づけて、詳細禁則データ２１５に追加（更新）する。
【０１１７】
次に、禁則対応付け部２０３のデータ更新部２０７は、検索結果データ２１２に含まれる該当の紙種データの項目「使用不可」の値を「ｔｒｕｅ」に更新する（ステップＳ１００６）。すなわち、データ更新部２０７は、該当の紙種データに、使用不可を示すデータを対応付けて、検索結果データ２１２を更新する。このようにして、検索結果データ２１２から検索結果データ２１２'が作成される。
【０１１８】
禁則対応付け部２０３のデータ取得部２０４は、禁則データＤＢ２１３から禁則データを全件取得したか否かを判定する（ステップＳ１００７）。
【０１１９】
ステップＳ１００７において、データ取得部２０４により、禁則データＤＢ２１３から取得していない禁則データがあると判定された場合、禁則対応付け部２０３は、ステップＳ１００２に戻る。この場合、禁則対応付け部２０３は、データ取得部２０４により、禁則データＤＢ２１３から次の禁則データを１件取得する。
【０１２０】
ステップＳ１００７において、データ取得部２０４により、禁則データＤＢ２１３から禁則データを全件取得したと判定された場合、データ取得部２０４は、検索結果データ２１２から紙種データを全件取得したか否かを判定する（ステップＳ１００８）。
【０１２１】
ステップＳ１００８において、データ取得部２０４により、検索結果データ２１２から取得していない紙種データがあると判定された場合、禁則対応付け部２０３は、ステップＳ１００１に戻る。この場合、禁則対応付け部２０３は、データ取得部２０４により、検索結果データ２１２から次の紙種データを１件取得する。
【０１２２】
ステップＳ１００８において、データ取得部２０４により、検索結果データ２１２から紙種データを全件取得したと判定された場合、禁則対応付け部２０３は、処理を終了する。
【０１２３】
このように、本実施形態の禁則対応付け部２０３は、検索結果データ２１２に含まれる各紙種データに対して、禁則データに基づいて、指定された給紙トレイの禁則に該当するか否かを判定する。そして、本実施形態の禁則対応付け部２０３は、判定結果に応じて、検索結果データ２１２を更新するともに、詳細禁則データ２１５を作成又は更新する。
【０１２４】
次に、例えば図９に示す紙種の一覧画面１０００に表示された各紙種の詳細な情報を表示する処理について、図１２を参照して説明する。図１２は、第一の実施形態の詳細画面の表示処理を説明する一例のフローチャートである。
【０１２５】
印刷装置２０の受付部２０１は、端末装置１０から紙種の詳細画面の表示要求を受け付けたか否かを判定する（ステップＳ１２０１）。ここで、端末装置１０は、例えば図９に示す紙種の一覧画面１０００において、ユーザにより紙種が選択された場合、印刷装置２０に対して紙種の詳細画面の表示要求を送信する。なお、当該詳細画面の表示要求には、ユーザにより選択された紙種に対応する紙種データの紙種ＩＤが含まれる。
【０１２６】
ステップＳ１２０１において、受付部２０１により紙種の詳細画面の表示要求を受け付けたと判定された場合、印刷装置２０のコンテンツ作成部２０８は、当該表示要求に含まれる紙種ＩＤに対応する詳細禁則データ２１５を取得する。そして、コンテンツ作成部２０８は、取得した詳細禁則データ２１５に基づいて、紙種の詳細画面のコンテンツデータを作成する（ステップＳ１２０２）。コンテンツ作成部２０８は、詳細禁則データ２１５に基づいて、例えばＨＴＭＬ形式のコンテンツデータを作成すれば良い。ただし、上述したように、コンテンツデータはＨＴＭＬ形式に限られず、例えば、ＪＳＯＮ形式等であっても良い。
【０１２７】
印刷装置２０の表示制御部２０９は、コンテンツ作成部２０８により作成されたコンテンツデータを端末装置１０に送信して、当該コンテンツデータに基づく紙種の詳細画面を表示させる（ステップＳ１２０３）。
【０１２８】
これにより、端末装置１０の表示部１０２は、例えば図１３に示す紙種の詳細画面２０００を表示させる。図１３に示す紙種の詳細画面２０００は、紙種の一覧画面１０００においてユーザにより選択された紙種の詳細な情報を表示する。
【０１２９】
図１３に示す紙種の詳細画面２０００では、ユーザにより選択された紙種に対応する紙種データの紙種ＩＤが「００５」である場合における禁則の詳細な情報２００１を表示している。すなわち、紙種ＩＤ「００５」の詳細禁則データ２１５は、用紙サイズ禁則、紙送り方向禁則、坪量禁則に該当することを示している。このため、禁則の詳細な情報２００１では、紙種ＩＤ「００５」の紙種が用紙サイズ禁則の禁則に該当することから、幅及び長さに、それぞれ使用不可マーク２００２、２００３が対応付けられて表示されている。
【０１３０】
また、同様に、禁則の詳細な情報２００１では、紙種ＩＤ「００５」の紙種が紙送り方向禁則の禁則に該当することから、紙送り方向に使用不可マーク２００４が対応付けられて表示されている。同様に、禁則の詳細な情報２００１では、紙種ＩＤ「００５」の紙種が坪量禁則の禁則に該当することから、坪量に使用不可マーク２００５が対応付けられている。
【０１３１】
このように、紙種の詳細画面２０００では、ユーザにより選択された紙種がいずれの禁則に該当するのかを示す詳細な情報が表示される。これにより、ユーザは、指定された給紙トレイにおいて紙種が使用できない場合において、どのような禁則に該当するために使用できないのかを知ることができる。なお、本実施形態では、紙種の一覧画面１０００及び紙種の詳細画面２０００が同一の画面上に表示される場合について説明したが、これに限られず、紙種の詳細画面２０００が紙種の一覧画面１０００と異なる画面上に表示されても良い。
【０１３２】
（第二の実施形態）
以下に、図面を参照して第二の実施形態について説明する。第二の実施形態の説明では、第一の実施形態との相違点について説明し、第一の実施形態と同様の機能構成を有する箇所には第一の実施形態の説明で用いた符号と同様の符号を付与し、その説明を省略する。
【０１３３】
本実施形態では、第一の実施形態の印刷装置２０において、印刷処理部２１０と、その他の機能部とがそれぞれ異なる装置が有する場合について説明する。図１４は、第二の実施形態の印刷システムの一例を示す図である。
【０１３４】
本実施形態の印刷装置２０Ａは、印刷処理部２１０を有する。また、本実施形態の制御装置３０は、受付部２０１、検索部２０２、禁則対応付け部２０３、コンテンツ作成部２０８、表示制御部２０９、紙種データＤＢ２１１、禁則データＤＢ２１３、及び禁則種別データＤＢ２１４を有する。
【０１３５】
このような構成では、印刷装置２０Ａの給紙トレイに紙種を割り当てるための処理は制御装置３０で行う。また、印刷ジョブの実行等の印刷処理は、印刷装置２０Ａで行う。したがって、本実施形態の印刷システム１では、紙種を割り当てるための処理と、印刷処理とを異なる装置に分散させることができる。
【０１３６】
（第三の実施形態）
以下に、図面を参照して第三の実施形態について説明する。第三の実施形態の説明では、第一の実施形態との相違点について説明し、第一の実施形態と同様の機能構成を有する箇所には第一の実施形態の説明で用いた符号と同様の符号を付与し、その説明を省略する。
【０１３７】
本実施形態では、第一の実施形態の印刷装置２０において、各種ＤＢを異なる装置が有する場合について説明する。図１５は、第三の実施形態の印刷システムの一例を示す図である。
【０１３８】
本実施形態の印刷装置２０Ｂは、受付部２０１、検索部２０２、禁則対応付け部２０３、コンテンツ作成部２０８、表示制御部２０９、及び印刷処理部２１０を有する。また、本実施形態の情報管理装置４０は、紙種データＤＢ２１１、禁則データＤＢ２１３、及び禁則種別データＤＢ２１４を有する。
【０１３９】
このような構成では、印刷装置２０Ｂは、給紙トレイに紙種を割り当てるための処理で用いる各種データを情報管理装置４０から取得する。これにより、本実施形態の印刷システム１では、例えば、複数の印刷装置２０Ｂで用いる各種データを情報管理装置４０で共通に管理することができる。
【０１４０】
以上、本発明の実施形態について詳述したが、本発明は斯かる特定の実施形態に限定されるものではなく、特許請求の範囲に記載された本発明の要旨の範囲内において、種々の変形・変更が可能である。
【符号の説明】
【０１４１】
１        印刷システム
１０      端末装置
２０      印刷装置
１０１    入力部
１０２    表示部
１０３    印刷要求部
２０１    受付部
２０２    検索部
２０３    禁則対応付け部
２０４    データ取得部
２０５    種別判定部
２０６    禁則判定部
２０７    データ更新部
２０８    コンテンツ作成部
２０９    表示制御部
２１０    印刷処理部
２１１    紙種データＤＢ
２１２    検索結果データ
２１３    禁則データＤＢ
２１４    禁則種別データＤＢ
２１５    詳細禁則データ
【先行技術文献】
【特許文献】
【０１４２】
【特許文献１】特許第４８１２５６６号公報
【特許文献２】特開２０００−２２７８４７号公報
【図１】
0006447367.tif 000002
【図２】
0006447367.tif 000003
【図３】
0006447367.tif 000004
【図４】
0006447367.tif 000005
【図５】
0006447367.tif 000006
【図６】
0006447367.tif 000007
【図７】
0006447367.tif 000008
【図８】
0006447367.tif 000009
【図９】
0006447367.tif 000010
【図１０】
0006447367.tif 000011
【図１１】
0006447367.tif 000012
【図１２】
0006447367.tif 000013
【図１３】
0006447367.tif 000014
【図１４】
0006447367.tif 000015
【図１５】
0006447367.tif 000016